(57)【要約】【課題】装置の小型化を図ることができ、液晶表示パネルその他の映像表示素子の取付けに際してのアライメントを容易にした虚像表示装置等を提供すること。【解決手段】素子用ケース８８が鏡筒３９に直接固定されるので、液晶表示パネルその他の映像表示素子８２を投射光学系と省スペースでアライメントしつつ接続することができる。また、映像表示素子８２が外側面（切断基準面）Ｓ１を介して素子用ケース８８に支持されるので、映像表示素子８２を素子用ケース８８に対して簡易に精密に位置決めすることができる。これにより、素子用ケース８８を投射レンズ（投射光学系）３０に対して少ないアライメント用のマージンで固定することができ、素子用ケース８８と投射レンズ（投射光学系）３０との接続機構を小型化でき、虚像表示装置１００の小型化を達成しやすくなる。【選択図】図５
2014191013.tif 000002
【特許請求の範囲】
【請求項１】
映像表示素子と、
前記映像表示素子を収納して支持する素子用ケースと、
前記映像表示素子からの光を投射する投射光学系と、
前記投射光学系からの光を観察者の眼に向けて画像を視認させる導光装置と
を備え、
前記投射光学系は、構成要素の光学素子のうち少なくとも一部を収納して支持する鏡筒を有し、
前記映像表示素子は、切断基準面を有し、当該切断基準面を介して前記素子用ケースに支持される、虚像表示装置。
【請求項２】
前記素子用ケースは、前記鏡筒に直接固定されている、請求項１に記載の虚像表示装置。
【請求項３】
前記切断基準面は、切断跡としてのダイシング面である、請求項１及び２のいずれか一項に記載の虚像表示装置。
【請求項４】
前記切断基準面は、第１段差状部分を形成し、前記素子用ケースは、前記切断基準面の前記第１段差状部分に対応する形状を有し前記第１段差状部分に対向する第２段差状部分を有する、請求項１から３までのいずれか一項に記載の虚像表示装置。
【請求項５】
前記第１段差状部分は、前記切断基準面として前記映像表示素子の主面に垂直な方向に延びる外側面を有し、前記素子用ケースの前記第２段差状部分は、前記外側面に対向して延びる内側面を有する、請求項３に記載の虚像表示装置。
【請求項６】
前記映像表示素子は、前記切断基準面を有する第１基板と、当該第１基板に対向する第２基板とを有する、請求項１から請求項４までのいずれか一項に記載の虚像表示装置。
【請求項７】
前記素子用ケースは、嵌合によって前記切断基準面を支持する第１支持部分と、前記映像表示素子のうち前記切断基準面の反対側を覆う第２支持部分とを含む、請求項１から請求項５までのいずれか一項に記載の虚像表示装置。
【請求項８】
前記第１支持部分は、前記映像表示素子の切断基準面に対向する内側面に、前記映像表示素子を当該映像表示素子の主面に垂直な方向に位置決めするための複数の突起を有する、請求項６に記載の虚像表示装置。
【請求項９】
前記映像表示素子は、矩形の板状体であり、前記複数の突起は、前記映像表示素子の長辺に沿って２箇所に形成されている、請求項８に記載の虚像表示装置。
【請求項１０】
前記第１支持部分は、前記切断基準面を含む第１段差状部分に嵌合する第２段差状部分を有する、請求項８及び９のいずれか一項に記載の虚像表示装置。
【請求項１１】
前記第１支持部分と前記第２支持部分との間であって前記第１段差状部分と前記第２段差状部分との外側に縁に沿って延びる溝を有する、請求項１０に記載の虚像表示装置。
【請求項１２】
前記溝は、前記映像表示素子の４辺のうちＦＰＣ部を引き出す辺に沿って延びている、請求項１１に記載の虚像表示装置。
【請求項１３】
前記素子用ケースは、遮光性の部材で形成され、前記第１又は第２支持部分は、前記鏡筒に対向する絞りを有する、請求項１から請求項１２までのいずれか一項に記載の虚像表示装置。
【請求項１４】
前記素子用ケースは、前記鏡筒に対して光軸に垂直な方向に遊びを持たせた状態で嵌合する嵌合部を有し、前記嵌合部を介して接着剤を用いた接着により前記鏡筒に固定される、請求項１３に記載の虚像表示装置。
【請求項１５】
前記導光装置が観察者の眼前に配置されるように、前記投射光学系と前記導光装置とを支持するフレームをさらに備える、請求項１から請求項１４までのいずれか一項に記載の虚像表示装置。
【請求項１６】
映像表示素子と、
前記映像表示素子を収納して支持する素子用ケースと、
前記映像表示素子からの光を投射する投射光学系と
を備え、
前記映像表示素子は、切断基準面を有し、当該切断基準面を介して前記素子用ケースに支持される、プロジェクター。
【発明の詳細な説明】
【技術分野】
【０００１】
本発明は、映像表示素子によって形成された映像を観察者に提示する虚像表示装置及びプロジェクターに関し、特に観察者の頭部に装着するヘッドマウントディスプレイに好適な虚像表示装置及び小型のプロジェクターに関する。
【背景技術】
【０００２】
観察者の頭部に装着するヘッドマウントディスプレイ（以下、ＨＭＤとも言う）等の虚像表示装置として様々なものが提案されている（例えば特許文献１参照）。
ＨＭＤ等の虚像表示装置については、小型化及び軽量化を進展させつつ、画質を低下させないで広画角化を達成することが望まれている。また、観察者の視界を全て覆ってしまい映像光のみが見える状態にしてしまうと、観察者に外界の状態が判らず不安を与えてしまう。むしろ、外界と映像を重ねて見せるシースルーとすることによって、仮想現実の様な新しい用途が生み出される。このため、外界の視界を妨げず、映像光を重ねて表示するディスプレイが望まれている。
【０００３】
以上の状況を考慮して、観察者の眼前にシースルーで配置される透視型の導光装置を用いることで、眼鏡の形態に近づけて観察者の装着感を向上させ、見た目のフォルムを良くすることができる。この場合、画像を視認させるための光学系については、例えば頭部側面に配置された液晶表示パネルと投射光学装置とによって形成される映像光を、透視型のプリズムで眼前まで導光する態様が考えられる（特許文献１参照）。
【０００４】
ところで、虚像表示装置の小型化を図る上で、特に液晶表示パネルの保持部材の小型化を図ることと、取付けに際してのアライメントを簡易にすることとが重要になる。一般的に、液晶表示パネルは、保護用のホルダーに保持されてホルダーとともに投射光学系に接続されることが多い。その際の取り付け誤差は、ホルダーを投射光学系に対して微少変位させてアライメントしつつ固定することで解消される。しかしながら、液晶表示パネルの外縁部にはガラス基板を割った面が露出していることから、液晶表示パネルは、ホルダーに対して精密に位置決めされておらず、ホルダーを微少変位させるためのマージンを大きくとる必要があり、ホルダーと投射光学系との接続部分が大型化しやすい。ここで、液晶表示パネルをホルダーに対して予め精密に位置決めして固定することにより接続部分を小型にすることも考えられるが、製造工程が複雑化する問題がある。なお、このような液晶表示パネル周辺における小型化の要請に伴って生じる問題については、ＨＭＤ等の虚像表示装置に限らず、例えばプロジェクターの小型化がさらに進んだ場合においても同様に生じる可能性がある。
【先行技術文献】
【特許文献】
【０００５】
【特許文献１】特開２０１２−１６３６４０号公報
【発明の概要】
【０００６】
本発明は、上記背景技術に鑑みてなされたものであり、装置の小型化を図ることができ、液晶表示パネルその他の映像表示素子の取付けに際してのアライメントを容易にした虚像表示装置及びプロジェクターを提供することを目的とする。
【０００７】
上記目的を達成するため、本発明に係る虚像表示装置は、映像表示素子と、映像表示素子を収納して支持する素子用ケースと、映像表示素子からの光を投射する投射光学系と、投射光学系からの光を観察者の眼に向けて画像を視認させる導光装置とを備え、投射光学系は、構成要素の光学素子のうち少なくとも一部を収納して支持する鏡筒を有し、映像表示素子は、切断基準面を有し、当該切断基準面を介して素子用ケースに支持される。
【０００８】
上記虚像表示装置では、映像表示素子が切断基準面を介して素子用ケースに支持されるので、映像表示素子を素子用ケースに対して簡易に精密に位置決めすることができる。これにより、素子用ケースを投射光学系に対して少ないアライメント用のマージンで固定することができ、素子用ケースと投射光学系との接続機構を小型化でき、虚像表示装置の小型化を達成しやすくなる。
【０００９】
本発明の具体的な側面では、上記虚像表示装置において、素子用ケースは、鏡筒に直接固定されている。この場合、液晶表示パネルその他の映像表示素子を投射光学系に対して省スペースでアライメントしつつ接続することができる。
【００１０】
本発明の別の側面では、切断基準面は、切断跡としてのダイシング面である。この場合、個片化用のダイシング面を利用した比較的精密な位置決めが可能になる。
【００１１】
本発明の別の側面では、切断基準面は、第１段差状部分を形成し、素子用ケースは、切断基準面の第１段差状部分に対応する形状を有し第１段差状部分に対向する第２段差状部分を有する。この場合、映像表示素子を素子用ケースに嵌め込むようにして固定することができる。
【００１２】
本発明の別の側面では、第１段差状部分は、切断基準面として映像表示素子の主面に垂直な方向に延びる外側面を有し、素子用ケースの第２段差状部分は、外側面に対向して延びる内側面を有する。この場合、第１段差状部分の外側面と、第２段差状部分の内側面とを近接させて位置決めを行うことができる。
【００１３】
本発明のさらに別の側面では、映像表示素子は、切断基準面を有する第１基板と、当該第１基板に対向する第２基板とを有する。
【００１４】
本発明のさらに別の側面では、素子用ケースは、嵌合によって切断基準面を支持する第１支持部分と、映像表示素子のうち切断基準面の反対側を覆う第２支持部分とを含む。この場合、素子用ケースによって映像表示素子を両側から挟むように保持して固定することができる。
【００１５】
本発明のさらに別の側面では、第１支持部分は、映像表示素子の切断基準面に対向する内側面に、映像表示素子を当該映像表示素子の主面に垂直な方向に位置決めするための複数の突起を有する。この場合、映像表示素子を第１支持部分に挿入しやすくなり、複数の突起が或る程度の弾性を有すれば、映像表示素子との寸法の公差を突起の変形によって吸収することが容易になる。
【００１６】
本発明のさらに別の側面では、映像表示素子は、矩形の板状体であり、複数の突起は、映像表示素子の長辺に沿って２箇所に形成されている。２箇所の突起の間隔を適宜設定することにより、映像表示素子の位置決めが安定する。
【００１７】
本発明のさらに別の側面では、第１支持部分は、切断基準面を含む第１段差状部分に嵌合する第２段差状部分を有する。この場合、段差同士の嵌合よって映像表示素子を精密に位置決めして固定することができる。
【００１８】
本発明のさらに別の側面では、第１支持部分と第２支持部分との間であって第１段差状部分と第２段差状部分との外側に縁に沿って延びる溝を有する。映像表示素子の周囲に接着材がはみ出すことを抑制できる。
【００１９】
本発明のさらに別の側面では、溝は、映像表示素子の４辺のうちＦＰＣ（Flexible Printed Circuits）部を引き出す辺に沿って延びている。この場合、ＦＰＣ部側にはみ出すような樹脂の流れを制限できる。
【００２０】
本発明のさらに別の側面では、素子用ケースは、遮光性の部材で形成され、第１又は第２支持部分は、鏡筒に対向する絞りを有する。この場合、鏡筒と素子用ケースとの接続を簡易にしつつ迷光の発生を防止できる。
【００２１】
本発明のさらに別の側面では、素子用ケースは、鏡筒に対して光軸に垂直な方向に遊びを持たせた状態で嵌合させる嵌合部を有し、嵌合部を介して接着剤を用いた接着により鏡筒に固定される。この場合、嵌合部を利用して光軸に垂直な方向の位置決めを行いつつ嵌合部を介して素子用ケースを投射光学系側に固定することができる。
【００２２】
本発明のさらに別の側面では、導光装置が観察者の眼前に配置されるように、投射光学系と導光装置とを支持するフレームをさらに備える。この場合、素子用ケース又は映像表示素子は、投射光学系を介してフレームに固定される。なお、投射光学系と導光装置とは、フレームを介して相互に固定される。
【００２３】
上記目的を達成するため、本発明に係るプロジェクターは、映像表示素子と、映像表示素子を収納して支持する素子用ケースと、映像表示素子からの光を投射する投射光学系とを備え、映像表示素子は、切断基準面を有し、当該切断基準面を介して素子用ケースに支持される。
【００２４】
上記プロジェクターでは、映像表示素子が切断基準面を介して素子用ケースに支持されるので、映像表示素子を素子用ケースに対して簡易に精密に位置決めすることができる。これにより、素子用ケースを投射光学系に対して少ないアライメント用のマージンで固定することができ、素子用ケースと投射光学系との接続機構を小型化でき、プロジェクターの小型化を達成しやすくなる。
なお、上記虚像表示装置において、投射光学系は、構成要素の光学素子のうち少なくとも一部を収納して支持する鏡筒を有するものとでき、素子用ケースは、鏡筒に直接固定されるものとできる。この場合、素子用ケースが鏡筒に直接固定されるので、液晶表示パネルその他の映像表示素子を投射光学系に対して省スペースでアライメントしつつ接続することができる。
【図面の簡単な説明】
【００２５】
【図１】本発明の一実施形態である虚像表示装置の外観を簡単に説明する斜視図である。
【図２】（Ａ）は、虚像表示装置の外観斜視図であり、（Ｂ）は、虚像表示装置からフレームや外装部材を取り除いた内部構造を示す斜視図である。
【図３】（Ａ）は、虚像表示装置のうち第１表示装置の構造を説明するため外装部材等を取り除いた状態を示す斜視図であり、（Ｂ）は、第１表示装置に組み込まれている画像表示装置及び投射レンズの構造を説明する側方断面図である。
【図４】虚像表示装置を構成する第１表示装置の上下に関する対称面における断面図である。
【図５】画像表示装置を説明する断面概念図である。
【図６】（Ａ）は、素子用ケースの第１支持部分を光射出側から見た図であり、（Ｂ）は、（Ａ）に示す第１支持部分の部分的な斜視図であり、（Ｃ）は、映像表示素子の構造を説明する側面図である。
【図７】（Ａ）及び（Ｂ）は、第１表示装置に組み込まれている導光装置又は光学部材の外観を説明する斜視図である。
【図８】虚像表示装置のうち導光部材及び投射レンズのフレームへの固定方法を説明する分解斜視図である。
【図９】プロジェクターの一例を模式的に示す図である。
【図１０】変形例の素子用ケースを説明する分解斜視図である。
【発明を実施するための形態】
【００２６】
以下、図１等を参照しつつ、本発明に係る虚像表示装置の一実施形態について詳細に説明する。
【００２７】
図１に示すように、本実施形態の虚像表示装置１００は、眼鏡のような外観を有するヘッドマウントディスプレイであり、この虚像表示装置１００を装着した観察者又は使用者に対して虚像による画像光を視認させることができるとともに、観察者に外界像をシースルーで視認又は観察させることができる。虚像表示装置１００は、観察者の眼前を透視可能に覆う第１及び第２光学部材１０１ａ，１０１ｂと、両光学部材１０１ａ，１０１ｂを支持する枠部１０２と、枠部１０２の左右両端から後方のつる部分（テンプル）１０４にかけての部分に付加された第１及び第２像形成本体部１０５ａ，１０５ｂとを備える。ここで、図面上で左側の第１光学部材１０１ａと第１像形成本体部１０５ａとを組み合わせた第１表示装置１００Ａは、右眼用の虚像を形成する部分であり、単独でも虚像表示装置として機能する。また、図面上で右側の第２光学部材１０１ｂと第２像形成本体部１０５ｂとを組み合わせた第２表示装置１００Ｂは、左眼用の虚像を形成する部分であり、単独でも虚像表示装置として機能する。
【００２８】
図２（Ａ）は、虚像表示装置１００の表側の外観を説明する斜視図であり、図２（Ｂ）は、虚像表示装置１００を部分的に分解した表側の斜視図である。
【００２９】
図示のように、虚像表示装置１００に設けた枠部１０２は、上側に配置されるフレーム１０７と下側に配置されるプロテクター１０８とを備える。枠部１０２のうち、図２（Ａ）に示す上側のフレーム１０７は、ＸＺ面内でＵ字状に折れ曲がった細長い板状の部材であり、左右の横方向（Ｘ方向）に延びる正面部１０７ａと、前後の奥行き方向（Ｚ方向）に延びる一対の側面部１０７ｂ，１０７ｃとを備える。フレーム１０７、すなわち正面部１０７ａと側面部１０７ｂ，１０７ｃとは、アルミダイカストその他の各種金属材料で形成された金属製の一体部品である。正面部１０７ａの奥行き方向（Ｚ方向）の幅は、第１及び第２光学部材１０１ａ，１０１ｂに対応する導光装置２０の厚み又は幅よりも十分に厚いものとなっている。フレーム１０７の左側方、具体的には正面部１０７ａにおける向かって左端部から側面部１０７ｂにかけての部分である側方端部６５ａには、第１光学部材１０１ａと第１像形成本体部１０５ａとがアライメントされネジ止めによって直接固定されることにより、支持されている。また、フレーム１０７の右側方、具体的には正面部１０７ａにおける向かって右端部から側面部１０７ｃにかけての部分である側方端部６５ｂには、第２光学部材１０１ｂと第２像形成本体部１０５ｂとがアライメントされネジ止めにより直接固定されることによって、支持されている。なお、第１光学部材１０１ａと第１像形成本体部１０５ａとは、嵌合によって互いにアライメントされ、第２光学部材１０１ｂと第２像形成本体部１０５ｂとは、嵌合によって互いにアライメントされる。
【００３０】
図２（Ａ）及び２（Ｂ）に示すプロテクター１０８は、アンダーリム状の部材であり、図２（Ａ）に示すフレーム１０７の下方に配置されて固定されている。プロテクター１０８の中央部１０８ｇは、フレーム１０７の中央部１０７ｇに嵌合及びネジ止めによって固定される。プロテクター１０８は、２段のクランク状に折れ曲がった細長い板状の部材であり、金属材料又は樹脂材料から一体的に形成されている。プロテクター１０８の第１先端部１０８ｉは、第１像形成本体部１０５ａを覆うカバー状の外装部材１０５ｄのうち外部材１０５ｅに設けた凹部１０５ｉに嵌合した状態で固定される。また、プロテクター１０８の第２先端部１０８ｊは、第２像形成本体部１０５ｂを覆うカバー状の外装部材１０５ｄのうち外部材１０５ｅに設けた凹部１０５ｊに嵌合した状態で固定される。
【００３１】
フレーム１０７は、第１及び第２像形成本体部１０５ａ，１０５ｂを支持するだけでなく、外装部材１０５ｄと協働して第１及び第２像形成本体部１０５ａ，１０５ｂの内部を保護する役割を有する。なお、フレーム１０７及びプロテクター１０８は、第１及び第２像形成本体部１０５ａ，１０５ｂに連結される根元側を除いた導光装置２０の長円状の周囲部分と離間するか又は緩く接している。このため、中央の導光装置２０と、フレーム１０７及びプロテクター１０８を含む枠部１０２との間に熱膨張率の差があっても、枠部１０２内での導光装置２０の膨張が許容され、導光装置２０に歪み、変形、破損が生じることを防止できる。
【００３２】
フレーム１０７に付随して、鼻受部４０が設けられている。鼻受部４０は、観察者の鼻に当接することによって枠部１０２を支持する役割を有する。つまり、枠部１０２は、鼻に支持される鼻受部４０と耳に支持される一対のテンプル部１０４とによって、観察者の顔前に配置されることになる。鼻受部４０は、枠部１０２を構成する一方のフレーム１０７の正面部１０７ａの中央部１０７ｇにおいて、枠部１０２を構成する他方のプロテクター１０８の中央部１０８ｇに挟まれるようにして、ねじ止めによって固定されている。
【００３３】
図３（Ａ）に示すように、第１表示装置１００Ａは、投影用の光学系である投射透視装置７０と、映像光を形成する画像表示装置８０とを備えると見ることができる。投射透視装置７０は、第１像形成本体部１０５ａによって形成された画像を虚像として観察者の眼に投射する役割を有する。投射透視装置７０は、導光及び透視用の導光部材１０と、透視用の光透過部材５０と、結像用の投射レンズ３０とを備える。つまり、第１光学部材１０１ａ又は導光装置２０は、導光部材１０と光透過部材５０とで構成され、第１像形成本体部１０５ａは、画像表示装置８０と投射レンズ３０とで構成される。
【００３４】
以下、図３（Ｂ）、４等を参照して、第１像形成本体部１０５ａを構成する画像表示装置８０と投射レンズ３０とについて説明する。
【００３５】
画像表示装置８０は、照明光を射出する照明装置８１と、透過型の空間光変調装置である映像表示素子８２と、照明装置８１及び映像表示素子８２の動作を制御する駆動制御部８４とを有する。
【００３６】
画像表示装置８０の照明装置８１は、赤、緑、青の３色を含む光を発生する光源８１ａと、この光源からの光を拡散させて矩形断面の光束にするバックライト導光部８１ｂとを有する。映像表示素子８２は、例えば液晶表示デバイスで形成され、照明装置８１からの照明光を空間的に変調して動画像等の表示対象となるべき画像光を形成する。駆動制御部８４は、光源駆動回路８４ａと、液晶駆動回路８４ｂとを備える。光源駆動回路８４ａは、照明装置８１に電力を供給して安定した輝度の照明光を射出させる。液晶駆動回路８４ｂは、映像表示素子８２に対して画像信号又は駆動信号を出力することにより、透過率パターンとして動画や静止画の元になるカラーの映像光又は画像光を形成する。なお、液晶駆動回路８４ｂに画像処理機能を持たせることができるが、外付けの制御回路に画像処理機能を持たせることもできる。
【００３７】
投射レンズ３０は、構成要素として３つの光学素子３１〜３３を備える投射光学系であり、これらの光学素子３１〜３３を収納して支持する鏡筒３９を含む。光学素子３１〜３３は、例えば非球面レンズであり、導光部材１０の一部と協働して導光部材１０の内部に映像表示素子８２の表示像に対応する中間像を形成する。鏡筒３９は、前端側に矩形枠状の係合部材３９ａを有する。係合部材３９ａは、導光部材１０の第２導光部分１２側の先端部と嵌合することで、鏡筒３９に対する導光部材１０の位置決めを可能にしている。
【００３８】
以下、図５等を参照して、映像表示素子８２及びその周辺の構造について説明する。図５に示すように、映像表示素子８２は、筐体状の素子用ケース８８の内部に収納され、移動しないように保持されている。映像表示素子８２は、上記のように液晶表示パネルであり、互いに対向する第１基板８２ａと第２基板８２ｂとの間に機能層８２ｃを挟んだ構造を有する。第１基板８２ａは光源側に配置され、第１基板８２ａの主面である表面８２ｇ上には、第１偏光板８６ａが貼り付けられている。第２基板８２ｂは像光射出側に配置される表示側基板であり、第２基板８２ｂの主面である表面８２ｈ上には、第２偏光板８６ｂが貼り付けられている。第１基板８２ａは、ガラス基板から個片化されたものであり、周囲に第１段差状部分８２ｓを有する。第１段差状部分８２ｓは、ダイシングによって形成されたものであり、切断跡を構成するダイシング面又は切断基準面である外側面Ｓ１と、切断跡底面としての段面Ｓ２とを有する。外側面（切断基準面）Ｓ１は、主面である表面８２ｇに垂直に延びかつ光軸ＡＸ５に平行に延び、段面Ｓ２は、光軸ＡＸ５に対して略垂直方向に延びている。なお、外側面（切断基準面）Ｓ１は、比較的精密に加工されており、機能層８２ｃの画素パターンに対応して配置されている。一方、破断によって形成された側面Ｓ４は、形成工程に由来して比較的形状精度が低いものとなっている。第２基板８２ｂは、図示の例では第１基板８２ａと異なり第１段差状部分８２ｓを有していないが、第１基板８２ａと同様に第１段差状部分８２ｓを有するものとできる。第２基板８２ｂからは、配線としてのＦＰＣ部８２ｋが延びている。互いに接合された第１基板８２ａと第２基板８２ｂとの間に封入された機能層８２ｃは、詳細な説明を省略するが液晶層を備え、この液晶層は、透明電極やカラーフィルターを内面に形成した第１基板８２ａと、透明パターン電極やＴＦＴを内面に形成した第２基板８２ｂとの間に挟まれて照明光の偏光状態を切り替える。
【００３９】
素子用ケース８８は、嵌合によって映像表示素子８２の第１基板８２ａを支持する第１支持部分８８ａと、映像表示素子８２の第２基板８２ｂを覆う第２支持部分８８ｂとを含む。両支持部分８８ａ，８８ｂは、遮光性の樹脂材料で形成された成形品である。一方の第１支持部分８８ａは、矩形開口８８ｏを有する矩形枠状の部材であり、矩形開口８８ｏに第１偏光板８６ａや第１基板８２ａを露出させる。つまり、矩形開口８８ｏの周囲は、迷光の発生を抑制する絞り８８ｎとなっている。他方の第２支持部分８８ｂは、矩形開口８８ｐを有する矩形枠状の部材であり、矩形開口８８ｐに第２偏光板８６ｂや第２基板８２ｂを露出させる。つまり、矩形開口８８ｐの周囲は、迷光の発生を抑制する絞り８８ｍとなっている。
【００４０】
素子用ケース８８において、第１支持部分８８ａの内側に形成された浅い窪みは、図６（Ａ）及び６（Ｂ）にも示すように、矩形開口８８ｏに沿って矩形の第２段差状部分８８ｓを有する。第２段差状部分８８ｓは、映像表示素子８２の第１基板８２ａに設けられた第１段差状部分８２ｓに対応する形状を有し第１段差状部分８２ｓに対向する。具体的には、第２段差状部分８８ｓは、光軸ＡＸ５に平行に延びる支持準面としての内側面Ｓ２１と、光軸ＡＸ５に対して垂直方向に延びる一対の枠面Ｓ２２，Ｓ２３とを備える。
【００４１】
素子用ケース８８の第２段差状部分８８ｓは、映像表示素子８２の第１段差状部分８２ｓと嵌合している。つまり、第２段差状部分８８ｓの内側面Ｓ２１は、第１段差状部分８２ｓの外側面（切断基準面）Ｓ１に近接（当接を含む）して平行に延びており、第１支持部分８８ａに対して映像表示素子８２を光軸ＡＸ５に垂直な方向に関して位置決めして配置することができる。特に、第２段差状部分８８ｓのうち、映像表示素子８２の長手方向ＡＢに沿った一対の枠部分８８ｔの端部には、内側面Ｓ２１ａをそれぞれ有する２つの突起８５ａが形成されている。これらの突起８５ａにより、第１基板８２ａに嵌め込まれた映像表示素子８２は、主面に垂直な方向（特に短手方向ＣＤ）に関して位置決めされる。このように枠面Ｓ２２に突出する複数の突起８５ａを設けることで、映像表示素子８２を第１支持部分８８ａに挿入しやすくなり、複数の突起８５ａが或る程度の弾性を有することから、映像表示素子８２と第１支持部分８８ａとの寸法の公差を突起８５ａの変形によって吸収することが容易になり、映像表示素子８２の支持や位置決めが安定する。図５及び図６（Ａ）に示すように、第２段差状部分８８ｓを構成する一対の枠部分８８ｔのうち、ＦＰＣ部８２ｋを引き出す辺（図６（Ａ）では下側の辺）に沿って、細長く延びる浅い溝８７ｄが形成されている。この溝８７ｄは、映像表示素子８２を第１支持部分８８ａに嵌め込んで接着材で接合する際に、硬化前の接着材又は樹脂がＦＰＣ部８２ｋに沿って外に流れ出すことを防止している。
【００４２】
また、第２段差状部分８８ｓの枠面Ｓ２３は、映像表示素子８２の第１偏光板８６ａの縁部と当接しており、第１支持部分８８ａに対して映像表示素子８２を光軸ＡＸ５方向に関して位置決めして配置することができる。なお、第２段差状部分８８ｓの枠面Ｓ２２を映像表示素子８２の第１段差状部分８２ｓを構成する段面Ｓ２と当接させることもできる。この場合、第２段差状部分８８ｓの枠面Ｓ２３に代えて、或いは枠面Ｓ２３とともに、枠面Ｓ２２により映像表示素子８２を光軸ＡＸ５方向に関して位置決めして配置することができる。
【００４３】
第１支持部分８８ａにおいて、映像表示素子８２の第１基板８２ａの周囲の適所には、接着剤８９が充填されている。接着剤８９は、例えばシリコーン系接着剤が用いられ、映像表示素子８２を第１支持部分８８ａに対して高い耐久性で固定することを可能にしている。一方、第２支持部分８８ｂにおいて、映像表示素子８２の第２基板８２ｂの周囲の適所にも、接着剤８９が充填されている。結果的に、映像表示素子８２を挟むように第１支持部分８８ａと第２支持部分８８ｂとが一体的に固定される。なお、図６（Ａ）等に示すように、第１支持部分８８ａの四隅から光軸に平行な方向に延びる４つのタブ８７ａは、第１支持部分８８ａを第２支持部分８８ｂに固定する際に、第２支持部分８８ｂの側面を挟むように配置されて、両支持部分８８ａ，８８ｂの位置決めや固定を確実にする。このようなタブ８７ａを用いることで、図３（Ａ）に示すように、素子用ケース８８の側面に開口８０ｏが形成される。このように、タブ８７ａを利用することで、素子用ケース８８の横幅を最小限にすることができ、機器の小型化を実現できる。
【００４４】
素子用ケース８８の第２支持部分８８ｂには、光軸ＡＸ５に平行に延びる一対の突起部材８８ｕ，８８ｖが形成されている。これらの突起部材８８ｕ，８８ｖは、投射レンズ（投射光学系）３０の鏡筒３９の後端部３９ｈを上下から挟むように後端部３９ｈと緩く嵌合する嵌合部であり、素子用ケース８８を鏡筒３９に固定するために用いられる。つまり、突起部材（嵌合部）８８ｕ，８８ｖの内面８８ｗと鏡筒３９の側面３９ｗとの間には接着剤９８が充填され、素子用ケース８８を鏡筒３９に対してアライメントした後に接着剤９８が硬化され、素子用ケース８８が鏡筒３９に固定される。
【００４５】
図７に示すように、導光部材１０と光透過部材５０とは、互いに固定されて一体的な導光装置２０を構成している。導光装置２０は、映像の光を内部で反射させつつ観察者の眼に導く光透過性の光学ブロック状又はプリズム状の部材である。導光装置２０のうち周囲部分に囲まれた本体部分は、長円状の輪郭を有する。ここで、光透過部材５０は、導光部材１０の先端側、すなわち射出側又は光射出側の第１導光部分１１に連結するようにその延長方向に配置され、接着剤を利用した接合によって第１導光部分１１に固定されている。導光部材１０及び光透過部材５０を組み合わせた導光装置２０は、図１における第１光学部材１０１ａに相当する。導光装置（光学部材）２０の周囲部分のうち、フレーム１０７に近い上辺側には、フレーム１０７下面に設けられている制限部１０７ｎ（図８（Ｂ）参照）に嵌め込まれるリブ１０ｎが形成されている。この第１のリブ１０ｎの存在により、導光装置２０の奥行き方向（Ｚ方向）に関する変位が制限される。
【００４６】
以下、図８等を参照して、第１表示装置１００Ａのフレーム１０７への組付けについて説明する。第１像形成本体部１０５ａを構成する画像表示装置８０の映像表示素子８２は、素子用ケース８８に収納された状態で突起部材（嵌合部）８８ｕ，８８ｖを利用して、投射レンズ３０の鏡筒３９の後端部３９ｈに固定される。素子用ケース８８に収納された映像表示素子８２を鏡筒３９に固定する際には、映像表示素子８２を収納している素子用ケース８８を光軸に垂直な方向に微少変位させて鏡筒３９に対してアライメント又は位置調整を行う。なお、映像表示素子８２の背面（投射レンズ３０の反対側）には、予め薄板状の照明装置８１が取り付けられている。投射レンズ３０は、その鏡筒３９に埋め込むように形成された取付部３９ｇを利用してフレーム１０７の側方端部６５ａに設けた第１固定部６１ｆに直接固定されている。このような固定の際、第１固定部６１ｆの裏面６８ｆと取付部３９ｇの上端面等とが当接してアライメントが達成され、ネジ孔６１ｓを介してネジ６１ｔを取付部３９ｇにねじ込むことで着脱可能で確実な固定が可能になる。この際、フレーム１０７のボス孔６１ｘに鏡筒３９に設けたボス３９ｘが嵌合して鏡筒３９の回転が規制され回転に関する位置決めも行われる。一方、第１光学部材１０１ａである導光装置２０は、そのネック部に形成された突起状の取付部１０ｇを利用して、フレーム１０７の側方端部６５ａに設けた第２固定部６１ｅに直接固定されている。取付部１０ｇは、導光装置２０の入射側又は光入射側の部分、具体的には第１導光部分１１と第２導光部分１２との境界周辺において周囲に拡張するように立設されている。このような固定の際、第２固定部６１ｅの前側部分に設けた突当て面６８ｅと取付部１０ｇの裏面１０ｋとが当接してアライメントが達成され、ネジ孔６１ｕに対してネジ６１ｖをネジ孔１０ｕ越しにねじ込むことで着脱可能で確実な固定が可能になる。
【００４７】
導光装置２０は、導光部材１０の第２導光部分１２側の先端部１２ｊが投射レンズ３０の鏡筒３９の前端側に設けられて開口する矩形枠状の係合部材３９ａに嵌合することで、投射レンズ３０に対して位置決めされた状態で係止される。つまり、導光装置２０に設けた導光部材１０をフレーム１０７の第２固定部６１ｅに固定する際に、第２導光部分１２側の先端部１２ｊを鏡筒３９の係合部材３９ａ内に嵌合するように挿入する。この際、先端部１２ｊの側面１２ｍが係合部材３９ａの内面３９ｍと当接してアライメントが達成される。その後、詳細な説明は省略するが、フレーム１０７に対して中央部１０７ｇにおいて鼻受部４０を挟むようにプロテクター１０８を固定する。以上の工程によって、フレーム１０７と投射透視装置７０とプロテクター１０８とのアセンブリーを得ることができる。
【００４８】
その後、図２（Ａ）に示すように、外装部材１０５ｄのうち外部材１０５ｅをフレーム１０７及び投射透視装置７０のアセンブリーに固定する。外部材１０５ｅは、フレーム１０７や投射レンズ３０との嵌合、投射レンズ３０の取付部３９ｇに対してのネジ締結等によって固定される。この際、フレーム１０７に既に固定されているプロテクター１０８の先端部１０８ｉ，１０８ｊを外部材１０５ｅに形成された凹部１０５ｉ，１０５ｊに嵌合させて固定することになる。次に、内部材１０５ｆを外部材１０５ｅに嵌合させ、ネジ止めによって外部材１０５ｅに固定する。これにより、内部材１０５ｆと外部材１０５ｅとに挟まれた空間内に、投射透視装置７０を構成する導光装置２０の根元側及び投射レンズ３０と、画像表示装置８０と、フレーム１０７の側面部１０７ｂ，１０７ｃの一部とが収納される。
【００４９】
テンプル部１０４は、フレーム１０７に設けた一対の側面部１０７ｂ，１０７ｃの先端に固定されている。テンプル部１０４と側面部１０７ｂ，１０７ｃとの連結部は、ヒンジ構造を有するものとでき、この場合、テンプル部１０４の折畳みが可能になる。
【００５０】
なお、図１に示す第２表示装置１００Ｂは、第１表示装置１００Ａと同様の構造を有し、第１表示装置１００Ａを左右対称に反転させただけであるので、第２表示装置１００Ｂの構造、機能、組立て等についての説明は省略する。
【００５１】
図４を参照して、投射透視装置７０等の機能、動作等の詳細について説明する。投射透視装置７０のうち、導光装置２０の一部である導光部材１０は、平面視において顔面に沿うように湾曲した円弧状の部材である。導光部材１０のうち、第１導光部分１１は、鼻に近い中央側つまり光射出側に配置され、光学的な機能を有する側面として、第１面Ｓ１１と、第２面Ｓ１２と、第３面Ｓ１３とを有し、第２導光部分１２は、鼻から離れた周辺側つまり光入射側に配置され、光学的な機能を有する側面として、第４面Ｓ１４と、第５面Ｓ１５とを有する。このうち、第１面Ｓ１１と第４面Ｓ１４とが連続的に隣接し、第３面Ｓ１３と第５面Ｓ１５とが連続的に隣接する。また、第１面Ｓ１１と第３面Ｓ１３との間に第２面Ｓ１２が配置され、第４面Ｓ１４と第５面Ｓ１５とは大きな角度を成して隣接している。
【００５２】
導光部材１０において、第１面Ｓ１１は、Ｚ軸に平行な射出側光軸ＡＸＯを中心軸とする自由曲面であり、第２面Ｓ１２は、ＸＺ面に平行な基準面（図示の断面）に含まれＺ軸に対して傾斜した光軸ＡＸ１を中心軸とする自由曲面であり、第３面Ｓ１３は、射出側光軸ＡＸＯを中心軸とする自由曲面である。第４面Ｓ１４は、ＸＺ面に平行な上記基準面に含まれＺ軸に対して傾斜した一対の光軸ＡＸ３，ＡＸ４の２等分線に対して僅かに傾いた平行な光軸ＡＸ５を中心軸とする自由曲面であり、第５面Ｓ１５は、ＸＺ面に平行な上記基準面に含まれるとともにＺ軸に対して傾斜した一対の光軸ＡＸ４，ＡＸ５の２等分線又はこれに対して小角度をなす線を中心軸とする自由曲面である。なお、以上の第１〜第５面Ｓ１１〜Ｓ１５は、水平（又は横）に延びＸＺ面に平行で光軸ＡＸ１〜ＡＸ５等が通る基準面（図示の断面）を挟んで、鉛直（又は縦）のＹ軸方向に関して対称な形状を有している。
【００５３】
導光部材１０のうち本体１０ｓは、可視域で高い光透過性を示す樹脂材料で形成されており、例えば金型内に熱可塑性樹脂を注入・固化させることにより成形する。なお、本体１０ｓの材料としては、例えばシクロオレフィンポリマー等を用いることができる。本体１０ｓは、一体形成品とされているが、導光部材１０は、既に説明したように機能的に第１導光部分１１と第２導光部分１２とに分けて考えることができる。第１導光部分１１は、映像光ＧＬの導波及び射出を可能にするとともに、外界光ＨＬの透視を可能にする。第２導光部分１２は、映像光ＧＬの入射及び導波を可能にする。
【００５４】
第１導光部分１１において、第１面Ｓ１１は、映像光ＧＬを第１導光部分１１外に射出させる屈折面として機能するとともに、映像光ＧＬを内面側で全反射させる全反射面として機能する。第１面Ｓ１１は、眼ＥＹの正面に配されるものであり、観察者に対し凹面形状を成している。なお、第１面Ｓ１１は、本体１０ｓの表面に施されたハードコート層２７によって形成される面である。
【００５５】
第２面Ｓ１２は、本体１０ｓの表面であり、当該表面にハーフミラー層１５が付随している。このハーフミラー層１５は、光透過性を有する反射膜（すなわち半透過反射膜）である。ハーフミラー層（半透過反射膜）１５は、第２面Ｓ１２の全体ではなく、第２面Ｓ１２を主にＹ軸に沿った鉛直方向に関して狭めた部分領域ＰＡ上に形成されている（図７（Ａ）参照）。ハーフミラー層１５は、本体１０ｓの下地面のうち部分領域ＰＡ上に、金属反射膜や誘電体多層膜を成膜することにより形成される。ハーフミラー層１５の映像光ＧＬに対する反射率は、シースルーによる外界光ＨＬの観察を容易にする観点で、想定される映像光ＧＬの入射角範囲において１０％以上５０％以下とする。具体的な実施例のハーフミラー層１５の映像光ＧＬに対する反射率は、例えば２０％に設定され、映像光ＧＬに対する透過率は、例えば８０％に設定される。
【００５６】
第３面Ｓ１３は、映像光ＧＬを内面側で全反射させる全反射面として機能する。第３面Ｓ１３は、眼ＥＹの正面に配されるものであり、第１面Ｓ１１と同様に観察者に対し凹面形状を成しており、第１面Ｓ１１と第３面Ｓ１３とを通過させて外界光ＨＬを見たときに、視度が略０になっている。なお、第３面Ｓ１３は、本体１０ｓの表面に施されたハードコート層２７によって形成される面である。
【００５７】
第２導光部分１２において、第４面Ｓ１４は、映像光ＧＬを内面側で全反射させる全反射面として機能する。第４面Ｓ１４は、映像光ＧＬを第２導光部分１２内に入射させる屈折面としても機能する。なお、第４面Ｓ１４は、本体１０ｓの表面に施されたハードコート層２７によって形成される面である。
【００５８】
第２導光部分１２において、第５面Ｓ１５は、本体１０ｓの表面上に無機材料で形成される光反射膜ＲＭを成膜することで形成され、反射面として機能する。
【００５９】
光透過部材５０は、既述のように導光部材１０と一体的に固定され１つの導光装置２０となっている。光透過部材５０は、導光部材１０の透視機能を補助する部材（補助光学ブロック）であり、光学的な機能を有する側面として、第１透過面Ｓ５１と、第２透過面Ｓ５２と、第３透過面Ｓ５３とを有する。ここで、第１透過面Ｓ５１と第３透過面Ｓ５３との間に第２透過面Ｓ５２が配置されている。第１透過面Ｓ５１は、導光部材１０の第１面Ｓ１１を延長した曲面上にあり、第２透過面Ｓ５２は、当該第２面Ｓ１２に対して接着層ＣＣによって接合され一体化されている曲面であり、第３透過面Ｓ５３は、導光部材１０の第３面Ｓ１３を延長した曲面上にある。このうち第２透過面Ｓ５２と導光部材１０の第２面Ｓ１２とは、薄い接着層ＣＣを介しての接合によって一体化されるため、略同じ曲率の形状を有する。
【００６０】
光透過部材（補助光学ブロック）５０は、可視域で高い光透過性を示し、光透過部材５０の本体部分は、導光部材１０の本体１０ｓと略同一の屈折率を有する熱可塑性樹脂材料で形成されている。なお、光透過部材５０は、本体部分を導光部材１０の本体１０ｓに接合した後、接合された状態で本体１０ｓとともにハードコートによる成膜がなされて形成されるものである。つまり、光透過部材５０は、導光部材１０と同様、本体部分の表面にハードコート層２７が施されたものとなっている。第１透過面Ｓ５１と第３透過面Ｓ５３とは、本体部分の表面に施されたハードコート層２７によって形成される面である。
【００６１】
以下、虚像表示装置１００における映像光ＧＬ等の光路について説明する。映像表示素子（映像素子）８２から射出された映像光ＧＬは、投射レンズ３０によって収束されつつ、導光部材１０に設けた正の屈折力（以後において、反射面のパワーを屈折面に置き換えて表現する）を有する第４面Ｓ１４に入射する。
【００６２】
導光部材１０の第４面Ｓ１４を通過した映像光ＧＬは、収束しつつ進み、第２導光部分１２を経由する際に、比較的弱い正の屈折力を有する第５面Ｓ１５で反射され、第４面Ｓ１４に内側から再度入射して正の屈折力を受けつつ反射される。
【００６３】
第２導光部分１２の第４面Ｓ１４で反射された映像光ＧＬは、第１導光部分１１において、比較的弱い正の屈折力を有する第３面Ｓ１３に入射して全反射され、比較的弱い負の屈折力を有する第１面Ｓ１１に入射して全反射される。なお、映像光ＧＬは、第３面Ｓ１３を通過する前後において、導光部材１０中に中間像を形成する。この中間像の像面ＩＩは、映像表示素子８２の像面ＯＩに対応するものである。
【００６４】
第１面Ｓ１１で全反射された映像光ＧＬは、第２面Ｓ１２に入射するが、特にハーフミラー層１５に入射した映像光ＧＬは、このハーフミラー層１５を部分的に透過しつつも部分的に反射されて第１面Ｓ１１に再度入射して通過する。なお、ハーフミラー層１５は、ここで反射される映像光ＧＬに対して比較的強い正の屈折力を有するものとして作用する。また、第１面Ｓ１１は、これを通過する映像光ＧＬに対して負の屈折力を有するものとして作用する。
【００６５】
第１面Ｓ１１を通過した映像光ＧＬは、観察者の眼ＥＹの瞳又はその等価位置に略平行光束として入射する。つまり、観察者は、虚像としての映像光ＧＬにより、映像表示素子（映像素子）８２上に形成された画像を観察することになる。
【００６６】
一方、外界光ＨＬのうち、導光部材１０の第２面Ｓ１２よりも−Ｘ側に入射するものは、第１導光部分１１の第３面Ｓ１３と第１面Ｓ１１とを通過するが、この際、正負の屈折力が相殺されるとともに収差が補正される。つまり、観察者は、導光部材１０越しに歪みの少ない外界像を観察することになる。同様に、外界光ＨＬのうち、導光部材１０の第２面Ｓ１２よりも＋Ｘ側に入射するもの、つまり、光透過部材５０に入射したものは、これに設けた第３透過面Ｓ５３と第１透過面Ｓ５１とを通過する際に、正負の屈折力が相殺されるとともに収差が補正される。つまり、観察者は、光透過部材５０越しに歪みの少ない外界像を観察することになる。さらに、外界光ＨＬのうち、導光部材１０の第２面Ｓ１２に対応する光透過部材５０に入射するものは、第３透過面Ｓ５３と第１面Ｓ１１とを通過する際に、正負の屈折力が相殺されるとともに収差が補正される。つまり、観察者は、光透過部材５０越しに歪みの少ない外界像を観察することになる。なお、導光部材１０の第２面Ｓ１２と光透過部材５０の第２透過面Ｓ５２とは、略同一の曲面形状をともに有し、略同一の屈折率をともに有し、両者の隙間が略同一の屈折率の接着層ＣＣで充填されている。つまり、導光部材１０の第２面Ｓ１２や光透過部材５０の第２透過面Ｓ５２は、外界光ＨＬに対して実施的な屈折面として作用しない。
【００６７】
ただし、ハーフミラー層１５に入射した外界光ＨＬは、このハーフミラー層１５を部分的に透過しつつも部分的に反射されるので、ハーフミラー層１５に対応する方向からの外界光ＨＬは、ハーフミラー層１５の透過率に弱められる。その一方で、ハーフミラー層１５に対応する方向からは、映像光ＧＬが入射するので、観察者は、ハーフミラー層１５の方向に映像表示素子（映像素子）８２上に形成された画像とともに外界像を観察することになる。
【００６８】
導光部材１０内で伝搬されて第２面Ｓ１２に入射した映像光ＧＬのうち、ハーフミラー層１５で反射されなかったものは、光透過部材５０内に入射するが、光透過部材５０に設けた不図示の反射防止部によって導光部材１０に戻ることが防止される。つまり、第２面Ｓ１２を通過した映像光ＧＬが光路上に戻されて迷光となることが防止される。また、光透過部材５０側から入射してハーフミラー層１５で反射された外界光ＨＬは、光透過部材５０に戻されるが、光透過部材５０に設けた上述の不図示の反射防止部によって導光部材１０に射出されることが防止される。つまり、ハーフミラー層１５で反射された外界光ＨＬが光路上に戻されて迷光となることが防止される。
【００６９】
以上の説明から明らかなように、本実施形態の虚像表示装置１００によれば、素子用ケース８８が鏡筒３９に直接固定されるので、液晶表示パネルその他の映像表示素子８２を投射光学系と省スペースでアライメントしつつ接続することができる。また、映像表示素子８２が外側面（切断基準面）Ｓ１を介して素子用ケース８８に支持されるので、映像表示素子８２を素子用ケース８８に対して簡易に精密に位置決めすることができる。これにより、素子用ケース８８を投射レンズ（投射光学系）３０に対して少ないアライメント用のマージンで固定することができ、素子用ケース８８と投射レンズ（投射光学系）３０との接続機構を小型化でき、虚像表示装置１００の小型化を達成しやすくなる。
【００７０】
以上、実施形態に即して本発明を説明したが、本発明は、上記の実施形態に限られるものではなく、その要旨を逸脱しない範囲において種々の態様において実施することが可能であり、例えば次のような変形も可能である。
【００７１】
上記実施形態では、画像表示装置８０において、透過型の液晶表示デバイス等からなる映像表示素子８２を用いているが、画像表示装置８０としては、透過型の液晶表示デバイス等からなる映像表示素子８２に限らず種々のものを利用可能である。例えば、反射型の液晶表示デバイスを用いた構成も可能であり、液晶表示デバイス等からなる映像表示素子８２に代えてデジタル・マイクロミラー・デバイス等を用いることもできる。また、画像表示装置８０として、ＬＥＤアレイやＯＬＥＤ（有機ＥＬ）などに代表される自発光型素子を用いることができる。
【００７２】
映像表示素子８２の第１基板８２ａに設けられている切断基準面としての外側面Ｓ１は、実施形態に例示する第１段差状部分８２ｓのようなものに限らず、切断跡に起因する様々な断面を含むものとすることができる。例えば、第１基板８２ａがレーザーで切断される場合、外側面（切断基準面）Ｓ１は、レーザー切断面となる。
【００７３】
上記実施形態では、映像表示素子８２の第１基板８２ａに切断基準面としての外側面Ｓ１が設けられているが、これに代えて第２基板８２ｂに切断基準面としての外側面Ｓ１を設けることもできる。この場合、映像表示素子８２は、素子用ケース８８の第２支持部分８８ｂ側にアライメントされて固定されることになる。
【００７４】
映像表示素子８２と投射レンズ３０との固定方法は、上記実施形態のように突起部材（嵌合部）８８ｕ，８８ｖを利用するものに限らず、映像表示素子８２を鏡筒３９に直接固定する様々な手法を用いることができる。
【００７５】
枠部１０２については、実施形態に例示した形状又は眼鏡のフレームに似た外観に限らず、投射レンズ３０と導光装置２０とを橋渡しすることができる様々な形状とできる。
【００７６】
上記実施形態では、フレーム１０７と投射レンズ３０とが別体でネジ止めによって投射レンズ３０をフレーム１０７に固定しているが、投射レンズ３０の鏡筒３９をフレーム１０７と一体成形することもできる。鏡筒３９をフレーム１０７と一体成形する方法として、アウトサート成形、ダイカスト一体成形後の鏡筒部削り出し等の手法がある。
【００７７】
導光装置２０又は投射レンズ３０については、ネジ止めによる締結に限らず、様々な手法でフレーム１０７に固定することができる。
【００７８】
上記実施形態では、投射レンズ３０の鏡筒３９に導光装置２０との係合部材３９ａを設けているが、導光装置２０側に例えば鏡筒３９を挟むように鏡筒３９と嵌合する係合部材を設けることができる。
【００７９】
上記実施形態では、ハーフミラー層（半透過反射膜）１５が横長の矩形領域に形成されるとしたが、ハーフミラー層１５の輪郭は用途その他の仕様に応じて適宜変更することができる。また、ハーフミラー層１５の透過率や反射率も用途その他に応じて変更することができる。
【００８０】
上記実施形態では、ハーフミラー層１５が単なる半透過性の膜（例えば金属反射膜や誘電体多層膜）であるとしたが、ハーフミラー層１５は、平面又は曲面のホログラム素子に置き換えることができる。
【００８１】
上記実施形態では、映像表示素子８２における表示輝度の分布を特に調整していないが、位置によって輝度差が生じる場合等においては、表示輝度の分布を不均等に調整することができる。
【００８２】
上記の説明では、一対の表示装置１００Ａ，１００Ｂを備える虚像表示装置１００について説明しているが、単一の表示装置とできる。つまり、右眼及び左眼の双方に対応して、一組ずつ投射透視装置７０及び画像表示装置８０を設けるのではなく、右眼又は左眼のいずれか一方に対してのみ投射透視装置７０及び画像表示装置８０を設け、画像を片眼視する構成にしてもよい。この場合、フレーム１０７やテンプル部１０４は、例えば図１等に示すままで左右対称に配置する形状とする。
【００８３】
上記実施形態では、導光部材１０の第１面Ｓ１１及び第３面Ｓ１３において、表面上にミラーやハーフミラー等を施すことなく空気との界面により映像光を全反射させて導くものとしているが、本願発明の虚像表示装置１００における全反射については、第１面Ｓ１１又は第３面Ｓ１３上の全体又は一部にミラーコートや、ハーフミラー膜が形成されてなされる反射も含むものとする。例えば、映像光の入射角度が全反射条件を満たした上で、上記第１面Ｓ１１又は第３面Ｓ１３の全体又は一部にミラーコート等が施され、実質的に全ての映像光を反射する場合も含まれる。また、十分な明るさの映像光を得られるのであれば、多少透過性のあるミラーによって第１面Ｓ１１又は第３面Ｓ１３の全体又は一部がコートされていてもよい。
【００８４】
上記の説明では、導光部材１０等が眼ＥＹの並ぶ横方向に延びているが、導光部材１０を縦方向に延びるように配置することもできる。この場合、導光部材１０は、例えば上部での片持ち状態によって支持される。
【００８５】
本発明は、虚像表示装置に限らず、例えば小型のプロジェクター、特に携帯端末等の小型の電子機器に組み込まれる際の液晶プロジェクター等においても同様に適用することができる。図９は、携帯端末等の小型の電子機器に組み込み又は接続可能な液晶型のプロジェクター２００を模式的に示す図である。このプロジェクター２００は、映像表示素子８２を素子用ケース８８に収納した状態で保持するとともに照明装置８１を有する画像表示装置８０と、投射光学系である投射レンズ２３０とを有している。なお、プロジェクター２００は、ケーブルＣＢを介して電子機器の本体部に接続されており、画像信号等の各種信号が入力され、入力された画像信号に応じて映像表示素子８２で画像を形成させ、投射レンズ２３０によって形成された画像をスクリーン面ＳＣに映像光ＧＬとして投射する。この場合も、映像表示素子８２は、素子用ケース８８の第１及び第２支持部分８８ａ，８８ｂに挟まれ、第１段差状部分８２ｓ及び第２段差状部分８８ｓを利用して位置決めされた状態で固定されている。素子用ケース８８等の構造は、図５等に示すものと同様であり、ここでは説明を省略する。
【００８６】
図１０は、図９に示すプロジェクター２００に組み込まれる素子用ケース８８の変形例を示す図である。この場合、第２支持部分８８ｂから延びる一対の係合板８８ｗが第１支持部分８８ｂの側面と嵌合して、第１支持部分８８ｂと第２支持部分８８ｂとが固定される。この場合、映像表示素子８２は、第１支持部分８８ｂと第２支持部分８８ｂとによって周囲を覆われ、素子用ケース８８の側面には、映像表示素子８２を露出させる開口が存在しない。
【符号の説明】
【００８７】
ＡＸ４〜ＡＸ５…光軸、  ＧＬ…映像光、  ＨＬ…外界光、  ＯＩ…像面、  ＰＡ…部分領域、  ＲＭ…光反射膜、  Ｓ１…外側面、  Ｓ２…段面、  Ｓ２１…内側面、  Ｓ２２，Ｓ２３…枠面、  Ｓ１１〜Ｓ１５…第１〜第５面、  Ｓ５１〜Ｓ５３…透過面、  ３１〜３３…光学素子、  １０…導光部材、  １０ｇ…取付部、  １０ｓ…本体、  １１，１２…導光部分、  １５…ハーフミラー層、  ２０…導光装置、  ３０…投射レンズ、  ３９…鏡筒、  ３９ａ…係合部材、  ３９ｇ…取付部、  ３９ｈ…後端部、  ３９ｍ…内面、  ３９ｗ…側面、  ４０…鼻受部、  ５０…光透過部材、  ６１ｅ，６１ｆ…固定部、  ６５ａ，６５ｂ…側方端部、  ７０…投射透視装置、  ８０…画像表示装置、  ８１…照明装置、  ８１ａ…光源、  ８１ｂ…バックライト導光部、  ８２…映像表示素子、  ８２ａ…第１基板、  ８２ｂ…第２基板、  ８２ｃ…機能層、  ８２ｇ，８２ｈ…表面、  ８２ｓ…第１段差状部分、  ８４…駆動制御部、  ８４ａ…光源駆動回路、  ８４ｂ…液晶駆動回路、  ８６ａ，８６ｂ…偏光板、  ８８…素子用ケース、  ８８ａ…第１支持部分、  ８８ｂ…第２支持部分、  ８８ｏ，８８ｐ…矩形開口、  ８８ｓ…第２段差状部分、  ８８ｕ，８８ｖ…突起部材、  ８８ｗ…内面、  ８９，９８…接着剤、  １００…虚像表示装置、  １００Ａ，１００Ｂ…表示装置、  １０１ａ，１０１ｂ…光学部材、  １０２…枠部、  １０４…テンプル部、  １０５ａ，１０５ｂ…像形成本体部、  １０５ｄ…外装部材、  １０７…フレーム、  １０８…プロテクター、  ２００…プロジェクター、  ２３０…投射レンズ
【図１】
2014191013.tif 000003
【図２】
2014191013.tif 000004
【図３】
2014191013.tif 000005
【図４】
2014191013.tif 000006
【図５】
2014191013.tif 000007
【図６】
2014191013.tif 000008
【図７】
2014191013.tif 000009
【図８】
2014191013.tif 000010
【図９】
2014191013.tif 000011
【図１０】
2014191013.tif 000012